(57)【特許請求の範囲】
【請求項１】
護岸、岸壁等のほぼ壁状の岸から水域側に延出するように板体が設けられ、該板体の岸側の側縁部が上記岸に上下に回動可能に接合され、上記板体の岸側の側縁部が水面上に配置されるとともに、水域側の側縁部が水面下に配置されるように、上記板体がフロートにより斜めに支持され、かつ、上記板体上に植栽が施されている人工水辺であって、
上記板体の下方の水面下に、上記板体に支持された状態で岸から水域側に延出するように浅瀬用板体が設けられ、
上記板体及び上記浅瀬用板体の水域側側縁部が岸から離れる方向に延出する凸部と岸側に引き込んだ凹部とが繰り返す波状に形成され、上記板体の凹部と上記浅瀬用板体の凸部とが上下に重なるように上記板体と浅瀬用板体とが上下二段に配置されていることを特徴とする人工水辺。
【発明の詳細な説明】
【０００１】
【発明の属する技術分野】
本発明は、護岸、岸壁のように壁状となった岸に人工的に遠浅の部分や浅瀬を有する水辺を形成するための人工水辺に関するものである。
【０００２】
【従来の技術】
一般に都市部の河川敷のない河川では、河川の左右が護岸と堤防で囲まれた状態となっており、堤防の内側がすぐ護岸となっているので、基本的に河川に人が近づけない構造となっている。
一方、市街地における公園の確保や樹林地の保全といった量的な緑の確保が困難になるなかで、土や水といった自然に親しみたいという市民のニーズが次第に高まり、季節感のうるおい、快適性など、緑の質的な向上が求められるようになってきた。
そこで、従来、上述のように堤防と護岸に囲まれた河川において、堤防の内側にステージ状の構造物を設け、人が河川のそばに近寄れるようにした場所を設けることにより、上述のような河川の親水性の向上が図られている。
【０００３】
【発明が解決しようとする課題】
ところで、自然の水辺は、陸性や水性の植物が生育する場所となっているとともに、野鳥や昆虫や魚などの小動物の生息地となっていた場所である。
しかし、上述のように堤防や護岸に囲まれた川においては、植物が生育することができず、生息可能な小動物も限られたものとなっていた。
従って、堤防と護岸で囲まれた河川の堤防の内側にステージ状の構造物を設けても、単に河川に近づけるだけであり、必ずしも自然に親しんだものとならない。
【０００４】
また、護岸や堤防は、治水上必要不可欠であり、また、河川敷のない河川において、堤防の内側に各種植物や小動物が生息可能な水辺を形成するための敷地を確保することは困難である。すなわち、各種植物や小動物が生息可能な人工の水辺を形成し、なおかつ、川の水流を妨げないようにするには、堤防を含めた川幅を拡げる必要があるが、都市部において川幅を拡げることはほとんど不可能である。
【０００５】
本発明は、上記事情に鑑みてなされたものであり、河川の護岸等の壁状の岸の内側に、川の水流を大きく妨げずに各種植物や小動物の生息可能な水辺を形成することが可能な人工水辺を提供することを目的とするものである。
【０００６】
【課題を解決するための手段】
本発明の請求項１記載の人工水辺は、護岸、岸壁等のほぼ壁状の岸から水域側に延出するように板体が設けられ、
該板体の岸側の側縁部が上記岸に上下に回動可能に接合され、
上記板体の岸側の側縁部が水面上に配置されるとともに、水域側の側縁部が水面下に配置されるように、上記板体がフロートにより斜めに支持され、
かつ、上記板体上に植栽が施されていることを上記課題の解決手段とした。
【０００７】
上記構成によれば、上記板体の上面の岸側が水面上にあり、水域側が水面下となっているので、板体の上面が遠浅の水辺と同様の構成となる。また、板体の上面に植栽を施して予め植物を生育させておくことにより、自然の水辺と同様の小動物が生息可能な環境となり、野鳥や昆虫等の容易に移動可能な小動物が生息する可能性が高くなる。
また、板体を水域側に延出させているだけなので、上記水域が川の場合に、川の流れを大きく妨げるようなことがない。
【０００８】
また、上記板体の水面下となる部分に水草等を植栽することにより、小魚等が生息しやすい環境を形成することができる。
また、板体が、岸側に回動可能に接合されるとともに、フロートで支持した構造となっているので、水域の水位が変動しても、板体を水位に追従させることができ、有る程度の水位の変動において、板体が完全に水没してしまったり、板体が水から完全に離れてしまったりするのを防止することができる。
従って、板体上に植栽された陸性の植物が水没して枯れたり、水性の植物が干上がってしまうのを防止することができる。
【０００９】
すなわち、本発明によれば、護岸により直ぐに深くなってしまう岸において、上記板体により、遠浅の水辺を形成することができ、かつ、板体上に植栽を施すことにより、岸を小動物が生息可能な水辺とすることができ、さらに、板体からなる人工水辺を水位の変動にも対応できるものとすることができる。
【００１０】
なお、上記壁状の岸とは、基本的に、河川、湖沼、池、堀等の淡水域の岸で、かつ、護岸等により壁状となった岸であるが、海水域の岸壁や護岸等の壁状の岸にも適用することができる。
また、上記板体の材質や厚み等は、例えば、板体上に人が乗っても折れない十分な強度を有するとともに有る程度の耐水性を有するものならば特に限定されるものではない。
【００１１】
また、上記板体として金属板を用いる場合には、防錆対策を施すことが好ましい。
また、上記板体と岸との接合は、例えば、ヒンジ接合としたり、ワイヤやチェーンにより接合したりすることにより、板体を岸に対して上下に回動可能に接合するものとすることができる。また、岸に対して板体が上下に回動可能に接合されるものといっても、必ずしもピン接合のように、完全に支点が固定された状態となっていなくとも良く、上述のようにワイヤにより接合された状態でも良い。
また、上記フロートは、上記板体を水面付近で斜めに支持することが可能な浮力を有するものならば良い。
【００１２】
さらに、本発明の請求項１記載の人工水辺は、上記板体の下方の水面下に、上記板体に支持された状態で岸から水域側に延出するように浅瀬用板体が設けられ、上記板体及び上記浅瀬用板体の水域側側縁部が岸から離れる方向に延出する凸部と岸側に引き込んだ凹部とが繰り返す波状に形成され、上記板体の凹部と上記浅瀬用板体の凸部とが上下に重なるように上記板体と浅瀬用板体とが上下二段に配置されていることを上記課題の解決手段とした。
【００１３】
上記構成によれば、上記板体の水面下となった部分以外にも、浅瀬用板体により浅瀬を形成することができ、浅瀬用板体の上面にも水草を生育させることにより、小魚等が生息しやすい環境を形成することができる。
また、上記板体と上記浅瀬用板体との水域側側縁部を波状に形成し、上記板体の凹部と上記浅瀬用板体の凸部とが上下に重なるように上記板体と浅瀬用板体とを上下二段に配置することにより、浅瀬用板体の凸部の上方が板体の凹部となり、板体の下に配置された浅瀬用板体に板体の凹部から太陽光を通すことができるので、浅瀬用板体上の水草にも太陽光を当てて、水草の生育を促すことができる。
【００１４】
また、上述のように板体と浅瀬用板体を上下二段に配置することにより、板体の凸部の周囲に浅瀬用板体により形成された浅瀬が配置されることになり、意匠性に優れたものとすることができるとともに、板体上に降りた場合に、板体の水域側側縁部と板体の凸部の周囲が浅瀬の状態となり親水性を高めることができる。
【００１５】
なお、上記浅瀬用板体は、上記板体と同様の部材により構成することができる。
また、上記浅瀬用板体を板体で支持する方法は、例えば、ワイヤやチェーンで浅瀬用板体と板体とを接合したり、その他の部材により浅瀬用板体と板体とを接合したりすることにより行うことができる。また、浅瀬用板体も板体と同様に岸に回動自在に接合した場合には、板体と浅瀬用板体とを剛に接合してしまうと、板体と浅瀬用板体の上下の回動が妨げられるので、互いに岸に対して上下に回動できる状態で接合する必要がある。
【００１６】
【発明の実施の形態】
以下に、本発明の実施の形態の一例の人工水辺を図面を参照して説明する。
なお、この一例の人工水辺は、本発明を流れの遅い河川の一部となる堀の護岸に応用したものである。
図１及び図２は、この一例の人工水辺を示すものである。
図１及び図２に示すように、この一例の人工水辺は、護岸１に上下に回動可能に接合された第一の板体２と、第一の板体２の下方に配置された第二の板体３と、これら第一の板体２及び第二の板体３を接合するとともに補強するトラス構造のフレーム（図２に図示）４と、これら第一の板体２、第二の板体３及びフレーム４を沈まないように支持する複数のフロート（図２に図示）５…からなるものである。
【００１７】
上記第一の板体２は、図１に示すように、護岸１側の側縁が直線上に形成されるとともに、堀側の側縁が護岸から離れる方向に延出する凸部２ａと岸側に引き込んだ凹部２ｂとが繰り返す波状に形成されている。
そして、第一の板体２は、その護岸１側の側縁部が護岸１側に固定された図示しないアンカーにワイヤで接続され、板体２の堀（水域）側の側縁部が上下に回動移動可能とされている。
【００１８】
また、第一の板体２は、後述するようにフロート５により斜めに支持され、第一の板体２の岸側のほぼ半分が水面上に配置され、第一の板体２の堀側のほぼ半分が水面下に配置されるようになっている。
また、第一の板体２の上面には、植栽が施されるようになっており、第一の板体２上面には、土もしくは土砂が敷き詰められ、第一の板体２の水面上の上面に自然に近い植栽として、藪地６、草地７が形成され、また、自然に近い川辺となるように岩場８が形成されている。
【００１９】
また、第一の板体２の水面下の上面にも、水性植物が植栽されており、水際となる部分には抽水植物９が植栽され、水際より深い部分に浮葉植物１０が植栽され、第一の板体２の先端部分に沈水植物１１が植栽され、さらに、水際の部分には泥場１２が形成されている。
また、第一の板体２の上面においては、敷き詰められた土砂や植栽された植物がずり落ちないように、例えば、その上面に凹凸（図示略）が形成されてるとともに、第一の板体２の周縁部に上を向いた突条（図示略）が形成されている。
また、土砂の一部や岩場の岩を板体に接合されているものとしても良い。
【００２０】
上記第二の板体３は、第一の板体２と同様に、護岸１側の側縁が直線上に形成されるとともに、堀側の側縁が護岸から離れる方向に延出する凸部３ａと岸側に引き込んだ凹部３ｂとが繰り返す波状に形成されている。
また、第二の板体３の護岸１側の側縁は、護岸１との間に間隔をおいて配置されるようになっている。
そして、第二の板体３は、第一の板体２の下方の水面下に後述するようにフレーム４に接合された状態で配置されている。
【００２１】
また、第二の板体３は、堀側の波状の側縁部の凸部３ａが、第一の板体２の波状の側縁部の凹部２ｂと重なるように配置されている。
すなわち、第一の板体２と第二の板体３とは、その波状の部分をずらした状態で、上下二段に配置されている。
また、第二の板体３の凸部３ａは、ワイヤ１３、１３により第一の板体２に接合されている。
【００２２】
また、第二の板体３の上面にも土砂が敷き詰められており、水面下に浅瀬を形成した状態とすることができる。そして、第二の板体３の上面は、土砂がずり落ちるのを防止するために、第一の板体２の上面と同様の構成となっている。
また、第二の板体３上に第一の板体２の水面下の上面と同様に水性植物を植栽するものとしても良い。
【００２３】
上記フレーム４は、第一の板体２の下面のほぼ全面にわたって形成され、第一の板体２を補強するようになっている。
また、フレーム４は、第２の板体３と第一の板体２とが上下に重なる部分において、第二の板体３に接合されている。従って、第一の板体２には、フレーム４及び上記ワイヤ１３を介して第二の板体３が接合され、第二の板体３を支持するようになっている。
また、フレーム４は、ほぼ全体が水中に配置されることになるが、フレーム構造なので、堀の水流を大きく妨げるようなことがない。
上記フロート５…は、ワイヤ（図示略）を介してフレーム４に接合され、第一の板体２が上述のように斜めの状態となるように支持している。
【００２４】
そして、上述のような構成を有する人工水辺を護岸１に設けることにより、第一の板体２により、岸から水域の中まで徐々に低くなる水辺が形成される。
また、第一の板体２上に植栽が施されていることにより、より自然に近い水辺となるとともに、野鳥や各種昆虫や小魚等の小動物が生息可能な空間となり、護岸を設けることにより、各種の植物や小動物が生息できなくなってしまった空間に植物や小動物を呼び戻すことが可能となる。
【００２５】
また、第一の板体２の下方の水面下に第二の板体３を設け、かつ、第一の板体２及び第二の板体３の堀側の側面部を波状にするとともに、第一の板体２の波状の側縁部の凹部２ｂの下に第二の板体３の波状の側縁部の凸部３ａを配置することで、第二の板体３の上記凸部３ａには、第一の板体２の上記凹部２ｂを通って太陽光が当たることになり、第二の板体３上にも水性の植物を生育させることができる。
【００２６】
また、上述のように第一の板体２及び第二の板体３を配置することにより、第一の板体２の堀側に突出する凸部２ａにおいては、その先端側が浅瀬となるとともに、凸部２ａの左右側方の下面に第二の板体３の凸部３ａが配置されて浅瀬が形成された状態となる。
従って、第一の板体２上に人が立った場合には、細かく入り組んだ入り江上の岸辺にいるような雰囲気となり、護岸の親水性を極めて高いものとすることができるとともに、意匠性の高い水辺とすることができる。
【００２７】
また、第一の板体２が護岸１に対して上下に回動自在に接合されるとともにフロート５…により斜めに支持された状態となっているので、堀の水位が有る程度変動しても、水位に対応して第一の板体２が上下に回動することにより、水際の位置が大きく変わることがなく、岸辺の状態を保持して、草地７等とされた第一の板体２の水面上の部分が水面下に沈んだり、抽水植物９、浮葉植物１０、沈水植物１１等の水性植物が水面上に完全に上がってしまったりするのを防止することができる。
【００２８】
【発明の効果】
本発明の請求項１記載の人工水辺によれば、護岸により直ぐに深くなってしまう岸において、上記板体により、遠浅の水辺を形成することができ、かつ、上記板体上に植栽を施すことにより、岸を小動物が生息可能な水辺とすることができ、さらに、板体からなる水辺を水位の変動にも対応できるものとすることができる。
【００２９】
さらに、本発明の請求項１記載の人工水辺によれば、上記板体の水面下となった部分以外にも、浅瀬用板体により浅瀬を形成することができ、浅瀬用板体の上面にも水草を生育させることにより、小魚等が生息しやすい環境を形成することができる。
また、上記板体と上記浅瀬用板体との水域側側縁部を波状に形成し、上記板体の凹部と上記浅瀬用板体の凸部とが上下に重なるように上記板体と浅瀬用板体とを上下二段に配置することにより、浅瀬用板体の凸部上が板体の凹部となり、板体の下に配置された浅瀬用板体に板体の凹部から太陽光を通すことができるので、浅瀬用板体上の水草にも太陽光を当てて、水草の生育を促すことができる。
【００３０】
また、上述のように板体と浅瀬用板体を上下二段に配置することにより、板体の凸部の周囲に浅瀬用板体により形成された浅瀬が配置されることになり、意匠性に優れたものとすることができるとともに、板体上に人が降りた場合に、板体の水域側側縁部と板体の凸部の周囲が浅瀬の状態となり親水性を高めることができる。
【図面の簡単な説明】
【図１】本発明の実施の形態の一例の人工水辺を示す平面図である。
【図２】上記例の人工水辺を示す側面図である。
【符号の説明】
１      護岸（ほぼ壁条の岸）
２      第一の板体（板体）
２ｂ    第一の板体の凹部
３      第二の板体（浅瀬用板体）
３ａ    第二の板体の凸部
５      フロート
【図１】
0003814026.tif 000002
【図２】
0003814026.tif 000003